(57)【要約】ランプが寿命前に交換されときに発生する経済的損失を補償することのできるプロジェクター、プロジェクターの光源の補償システムおよび方法を実現する。ランプを使用する光源と、ランプの使用時間を計測するタイマーと、ランプの寿命(Twar)と、タイマーにより計測された使用時間(Tcur)と、複数のランプの補償時間の総和(Ttot)と、補償するランプの総数(CREDITtot)と、現時点で補償するランプの数(CREDITcur)と、を記憶する記憶部と、ランプの交換時に、交換されるランプの使用時間(Tcur)がランプの寿命(Twar)よりも小さな場合には、記憶部に、Ttot=Ttot+(Twar-Tcur)として更新記録させ、さらに、(Ttot/Twar)がCREDITtotよりも大きな場合には、記憶部に、CREDITtot=(Ttot/Twar)、CREDITcur=CREDITcur+1として更新記録させる制御部と、を有する。
2018154756.tif 000002
【特許請求の範囲】
【請求項１】
ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、補償するランプの総数（ＣＲＥＤＩＴｔｏｔ）と、現時点で補償するランプの数（ＣＲＥＤＩＴｃｕｒ）と、を記憶する記憶部と、
前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、（Ｔｔｏｔ／Ｔｗａｒ）がＣＲＥＤＩＴｔｏｔよりも大きな場合には、前記記憶部に、ＣＲＥＤＩＴｔｏｔ＝（Ｔｔｏｔ／Ｔｗａｒ）、ＣＲＥＤＩＴｃｕｒ＝ＣＲＥＤＩＴｃｕｒ＋１として更新記録させる制御部と、を有する、プロジェクター。
【請求項２】
請求項１記載のプロジェクターにおいて、
前記ランプの点灯状態を検出し、前記ランプが寿命となったことを示す点灯状態となるとその旨を示す通知を前記制御部に出力する点灯状態検出部を有し、
前記制御部は、前記ランプの交換時に前記通知を受けているかを確認し、前記通知を受けていない場合には前記記憶部への更新記録を行わせない、プロジェクター。
【請求項３】
ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、現時点で補償するランプの数（ＣＲＥＤＩＴｃｕｒ）と、を記憶する記憶部と、
前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、ＴｔｏｔがＴｗａｒよりも大きな場合には、前記記憶部に、ＣＲＥＤＩＴｃｕｒ＝ＣＲＥＤＩＴｃｕｒ＋１、Ｔｔｏｔ＝Ｔｔｏｔ−Ｔｗａｒとして更新記録させる制御部と、を有する、プロジェクター。
【請求項４】
請求項３記載のプロジェクターにおいて、
前記ランプの点灯状態を検出し、前記ランプが寿命となったことを示す点灯状態となるとその旨を示す通知を前記制御部に出力する点灯状態検出部を有し、
前記制御部は、前記ランプの交換時に前記通知を受けているかを確認し、前記通知を受けていない場合には前記記憶部への更新記録を行わせない、プロジェクター。
【請求項５】
請求項１ないし請求項４のいずれかに記載のプロジェクターと、
前記プロジェクターと通信可能なサービスセンターと、
前記プロジェクターおよびサービスセンターと通信可能とされ、前記プロジェクターの投写動作を制御する外部装置と、を有し、
前記制御部は、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する、プロジェクターの光源の保障システム。
【請求項６】
ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、補償するランプの総数（ＣＲＥＤＩＴｔｏｔ）と、現時点で補償するランプの数（ＣＲＥＤＩＴｃｕｒ）と、を記憶する記憶部と、
制御部と、を有するプロジェクターと、
前記プロジェクターと通信可能なサービスセンターと、
前記プロジェクターおよびサービスセンターと通信可能とされ、前記プロジェクターの投写動作を制御する外部装置と、を備えるシステムで行われるプロジェクターの光源の保障方法であって、
前記制御部が、前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、（Ｔｔｏｔ／Ｔｗａｒ）がＣＲＥＤＩＴｔｏｔよりも大きな場合には、前記記憶部に、ＣＲＥＤＩＴｔｏｔ＝（Ｔｔｏｔ／Ｔｗａｒ）、ＣＲＥＤＩＴｃｕｒ＝ＣＲＥＤＩＴｃｕｒ＋１として更新記録させ、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する、プロジェクターの光源の保障方法。
【請求項７】
請求項６記載のプロジェクターの光源の保障方法において、
点灯状態検出部が、前記ランプの点灯状態を検出し、前記ランプが寿命となったことを示す点灯状態となるとその旨を示す通知を前記制御部に出力し、
前記制御部は、前記ランプの交換時に前記通知を受けているかを確認し、前記通知を受けていない場合には前記記憶部への更新記録を行わせない、プロジェクターの光源の保障方法。
【請求項８】
ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、現時点で補償するランプの数（ＣＲＥＤＩＴｃｕｒ）と、を記憶する記憶部と、
制御部と、を有するプロジェクターと、
前記プロジェクターと通信可能なサービスセンターと、
前記プロジェクターおよびサービスセンターと通信可能とされ、前記プロジェクターの投写動作を制御する外部装置と、を備えるシステムで行われるプロジェクターの光源の保障方法であって、
前記制御部が、前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、ＴｔｏｔがＴｗａｒよりも大きな場合には、前記記憶部に、ＣＲＥＤＩＴｃｕｒ＝ＣＲＥＤＩＴｃｕｒ＋１、Ｔｔｏｔ＝Ｔｔｏｔ−Ｔｗａｒとして更新記録させ、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する、プロジェクターの光源の保障方法。
【請求項９】
請求項８記載のプロジェクターの光源の保障方法において、
点灯状態検出部が、前記ランプの点灯状態を検出し、前記ランプが寿命となったことを示す点灯状態となるとその旨を示す通知を前記制御部に出力し、
前記制御部は、前記ランプの交換時に前記通知を受けているかを確認し、前記通知を受けていない場合には前記記憶部への更新記録を行わせない、プロジェクターの光源の保障方法。
【発明の詳細な説明】
【技術分野】
【０００１】
本発明は、プロジェクター、プロジェクターの光源ランプの保証システムおよび方法に関する。
【背景技術】
【０００２】
プロジェクターは、ランプ、半導体レーザー、ＬＥＤ（Ｌｉｇｈｔ  Ｅｍｉｔｔｉｎｇ  Ｄｉｏｄｅ）などを用いた光源にて発生した光を用いて映像光を投写するものであるが、光源には寿命があるため、その累積使用時間が寿命を超えないように管理していた。
特許文献１（特開２０１２−１９４３２５号公報）には、計測したランプ点灯時間がランプの寿命警告時間を超えたときに電源オン動作を無効とするプロジェクターが開示されている。
【先行技術文献】
【特許文献】
【０００３】
【特許文献１】特開２０１２−１９４３２５号公報
【発明の概要】
【発明が解決しようとする課題】
【０００４】
上述したように、プロジェクターに光源として搭載されるランプは使用時間が計測され、その計測された使用時間はランプの保守管理や保証の確認などに利用されている。具体的にはランプの累積使用時間がランプの寿命警告時間を超えないように使用されていた。これは投写動作が中断されないことを目的としている。
ランプの寿命は、設置場所の温度、湿度、などの使用環境に応じて左右され、また、製造時の個体差によっても異なるものとなる。このため、ランプの累積使用時間がランプの寿命警告時間を超えなくてもランプの発光状態に不具合が生じることがある。このようなことが複数回生じると、ユーザーは、ランプは寿命まで使用することが出来た場合と比較すると予定以上の数のランプを使用することとなり、経済的な損害が発生するが、従来、このような損害を補償することは行われていなかった。
本発明は、ランプが寿命前に交換されときに発生する経済的損失を補償することのできるプロジェクター、プロジェクターの光源の補償システムおよび方法を実現する。
【課題を解決するための手段】
【０００５】
本発明によるプロジェクターは、ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、補償するランプの総数（ＣＲＥＤＩＴｔｏｔ）と、現時点で補償するランプの数（ＣＲＥＤＩＴｃｕｒ）と、を記憶する記憶部と、
前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、（Ｔｔｏｔ／Ｔｗａｒ）がＣＲＥＤＩＴｔｏｔよりも大きな場合には、前記記憶部に、ＣＲＥＤＩＴｔｏｔ＝（Ｔｔｏｔ／Ｔｗａｒ）、ＣＲＥＤＩＴｃｕｒ＝ＣＲＥＤＩＴｃｕｒ＋１として更新記録させる制御部と、を有する。【０００６】
本発明の他の形態によるプロジェクターは、ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、現時点で補償するランプの数（ＣＲＥＤＩＴｃｕｒ）と、を記憶する記憶部と、
前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、ＴｔｏｔがＴｗａｒよりも大きな場合には、前記記憶部に、ＣＲＥＤＩＴｃｕｒ＝ＣＲＥＤＩＴｃｕｒ＋１、Ｔｔｏｔ＝Ｔｔｏｔ−Ｔｗａｒとして更新記録させる制御部と、を有する。【０００７】
本発明によるプロジェクターの光源の保障システムは、上記のいずれかに記載のプロジェクターと、
前記プロジェクターと通信可能なサービスセンターと、
前記プロジェクターおよびサービスセンターと通信可能とされ、前記プロジェクターの投写動作を制御する外部装置と、を有し、
前記制御部は、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する。【０００８】
本発明によるプロジェクターの光源の保障方法は、ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、補償するランプの総数（ＣＲＥＤＩＴｔｏｔ）と、現時点で補償するランプの数（ＣＲＥＤＩＴｃｕｒ）と、を記憶する記憶部と、
制御部と、を有するプロジェクターと、
前記プロジェクターと通信可能なサービスセンターと、
前記プロジェクターおよびサービスセンターと通信可能とされ、前記プロジェクターの投写動作を制御する外部装置と、を備えるシステムで行われるプロジェクターの光源の保障方法であって、
前記制御部が、前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、（Ｔｔｏｔ／Ｔｗａｒ）がＣＲＥＤＩＴｔｏｔよりも大きな場合には、前記記憶部に、ＣＲＥＤＩＴｔｏｔ＝（Ｔｔｏｔ／Ｔｗａｒ）、ＣＲＥＤＩＴｃｕｒ＝ＣＲＥＤＩＴｃｕｒ＋１として更新記録させ、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する。【０００９】
本発明の他の形態によるプロジェクターの光源の保障方法は、ランプを使用する光源と、
前記ランプの使用時間を計測するタイマーと、
前記ランプの寿命（Ｔｗａｒ）と、前記タイマーにより計測された使用時間（Ｔｃｕｒ）と、複数のランプの補償時間の総和（Ｔｔｏｔ）と、現時点で補償するランプの数（ＣＲＥＤＩＴｃｕｒ）と、を記憶する記憶部と、
制御部と、を有するプロジェクターと、
前記プロジェクターと通信可能なサービスセンターと、
前記プロジェクターおよびサービスセンターと通信可能とされ、前記プロジェクターの投写動作を制御する外部装置と、を備えるシステムで行われるプロジェクターの光源の保障方法であって、
前記制御部が、前記ランプの交換時に、交換されるランプの使用時間（Ｔｃｕｒ）が前記ランプの寿命（Ｔｗａｒ）よりも小さな場合には、前記記憶部に、Ｔｔｏｔ＝Ｔｔｏｔ＋（Ｔｗａｒ−Ｔｃｕｒ）として更新記録させ、さらに、ＴｔｏｔがＴｗａｒよりも大きな場合には、前記記憶部に、ＣＲＥＤＩＴｃｕｒ＝ＣＲＥＤＩＴｃｕｒ＋１、Ｔｔｏｔ＝Ｔｔｏｔ−Ｔｗａｒとして更新記録させ、前記外部装置からランプの求める旨とともに求めるランプの数（ＲＥＱ＿ＣＮＴ）を受け付けると、前記記憶部を参照してＣＲＥＤＩＴｃｕｒがＲＥＱ＿ＣＮＴである場合には、前記記憶部に、ＣＲＥＤＩＴｃｕｒ＝ＣＲＥＤＩＴｃｕｒ−ＲＥＱ＿ＣＮＴとして更新記録させ、前記サービスセンターに提供を求めるランプの本数としてＲＥＱ＿ＣＮＴを通知する。
【発明の効果】
【００１０】
本発明においては、ランプが寿命前に交換されときに発生する経済的損失を補償することができる。
【図面の簡単な説明】
【００１１】
【図１】本発明によるプロジェクターの光源の保障システムの一実施形態の構成を示すブロック図である。
【図２】制御部１０２が行うＴｔｏｔおよびＣＲＥＤＩＴｃｕｒの更新処理を示すフローチャートである。
【図３】制御部１０２が行うＴｔｏｔおよびＣＲＥＤＩＴｃｕｒの更新処理を示すフローチャートである。
【図４】ユーザーがランプの提供を要求したときの、制御部１０２が行うＣＲＥＤＩＴｃｕｒの更新処理を示すフローチャートである。
【図５】本発明の第２の実施形態のシステム構成を示すブロック図である。
【図６】制御部１０２が行うＴｔｏｔおよびＣＲＥＤＩＴｃｕｒの更新処理を示すフローチャートである。
【図７】制御部１０２が行うＴｔｏｔおよびＣＲＥＤＩＴｃｕｒの更新処理を示すフローチャートである。
【発明の実施の形態】
【００１２】
次に、本発明の実施形態について図面を参照して説明する。
【００１３】
第１の実施形態
図１は、本発明によるプロジェクターの光源の保障システムの一実施形態の構成を示すブロック図である。
本実施形態は、プロジェクター１００、外部装置２００、および、サービスセンター３００から構成されている。
サービスセンター３００はプロジェクター１００の光源１０１に用いられるランプのメーカーが、ランプの管理を行うために設けられる。外部装置２００は、例えば、映画館などのプロジェクター１００による投写が行われる場所に設置され、プロジェクター１００に対して投写映像信号や投写動作を制御する信号を供給する。
【００１４】
プロジェクター１００は外部装置２００とＬＡＮ（Ｌｏｃａｌ  Ａｒｅａ  Ｎｅｔｗｏｒｋ）やシリアルインタフェースなどの通信Ｉ／Ｆ（インタフェース）により接続され、また、サービスセンター３００とはＬＡＮにより接続されている。ＬＡＮとしてはＳＮＭＰ（Ｓｉｍｐｌｅ  Ｎｅｔｗｏｒｋ  Ｍａｎａｇｅｍｅｎｔ  Ｐｒｏｔｏｃｏｌ）を用いる形態、また、メールを用いて状態を通知する形態などが挙げられる。
プロジェクター１００は、制御部１０２と、該制御部１０２と接続する、光源１０１、制御部１０２、ステータス表示用画面１０３、投写部１０４、タイマー１０５、および、記憶部１０６を備えている。
外部装置２００は、記憶装置２０１、Ｉ／Ｆ本体操作盤２０２、および、制御部２０３を備えている。
【００１５】
光源１０１に用いられるランプとしては、例えば、ハロゲンランプ、キセノンランプの他に、半導体レーザー、ＬＥＤなどが用いられるがこれらに限定されるものではない。
制御部１０１は、外部装置２００のＩ／Ｆ本体操作盤２０２、および、制御部２０３とも接続されており、Ｉ／Ｆ本体操作盤２０２からは投写動作を制御する制御信号を受け、制御部２０３からは記憶装置２０１に蓄積されている映像信号を受け付ける。
投写部１０４は、光源１００にて発生した光を、制御部１０２から供給される映像信号に応じて変調して画像光として投写する。
プロジェクター１００の制御部１０２はランプの使用時間（Ｔｃｕｒ）をタイマー１０５でカウントする。カウントした値は定期的にプロジェクター１００内の記憶部１０６に保存される。光源１０１に使用されるランプの、メーカーが保証する寿命時間（Ｔｗａｒ）は、あらかじめ同じ記憶部１０６に保存されている。
【００１６】
ユーザーがＩ／Ｆ本体操作盤２０２を介して制御部１０２に対してランプの交換要求を通知すると、制御部１０２はそれまでのランプ使用時間（Ｔｃｕｒ）が寿命時間未満（Ｔｗａｒ）かを確認する。ランプ使用時間（Ｔｃｕｒ）が寿命時間（Ｔｗａｒ）未満の場合には、使用できなかった時間をメーカーがユーザーに補償するために、寿命時間からランプ使用時間を引いた時間（Ｔｗａｒ−Ｔｃｕｒ）を補償時間情報（Ｔｔｏｔ）として記憶部１０６に記憶されている前回の保証時間情報に加えて保存（積算保存）する。保障時間情報の保存は、記憶部１０６ではなく、外部記憶装置２００の記憶装置２０１に行うこととしてもよい。このような構成とした場合にはプロジェクター１００の記憶部１０６における電力消費量を節約することができる。
【００１７】
外部装置２００の記憶装置２０１に補償時間情報を保存する場合には、プロジェクター１００の処理部１０２が主となり、ＬＡＮやシリアル等の通信Ｉ／Ｆを経由して保証時間を外部装置２００に送信する。別の形態として外部装置２００の制御部２０３が主となり、プロジェクター１００の処理部１０２と補償時間情報をやりとりすることもできる。この場合、外部装置２００の制御部２０３がＳＮＭＰマネージャーとなり、ＳＮＭＰプロトコルを使ってＳＮＭＰクライアントとなるプロジェクター１００から補償時間情報を取得することができる。
プロジェクター１００内の記憶部、あるいは、外部装置２００の記憶装置２０１に保存した補償時間情報が寿命時間の倍数値に到達するごとに、ランプの本数値を１加算（クレジット）する。このクレジット値はプロジェクター１００内の記憶部、あるいは、外部装置２００の記憶装置２０１に保存される。
【００１８】
ステータス表示用画面１０３はプロジェクター１００の現在のクレジット値を表示するもので、ユーザーは現在のクレジット値をステータス表示用画面１０３で確認することができる。ステータス表示用画面１０３は外部装置２００に設けるものとし、外部装置２００から確認するように構成することもできる。
ユーザーは、確認した現在のクレジット値が１本以上の場合、クレジット値を超えない範囲の本数でランプの提供をサービスセンター３００に要求できる。ユーザーは、Ｉ／Ｆ本体操作盤２０２にその旨を入力し、プロジェクター１００の制御部１０２あるいは外部装置２００の制御装置２０３を介してサービスセンター３００にランプの提供の要求を依頼する。
プロジェクター１００、または、外部装置２００は、上述したようにサービスセンター３００とＬＡＮ（ＳＮＭＰやメール等）で接続されており、ユーザーからのランプの提供の要求をＬＡＮ経由でサービスセンター３００に通知する。
【００１９】
ユーザーからのランプの提供の要求を受け付けたプロジェクター１００の制御部１０２あるいは外部装置２００の制御装置２０３は、サービスセンター３００への要求完了後、現在のクレジット値から要求本数を差し引いた数値を新たなクレジット値としてプロジェクター１００の記憶部１０６、あるいは外部装置２００の記憶装置２０１に保存する。
図２は、制御部１０２が行うＴｔｏｔおよびＣＲＥＤＩＴｃｕｒの更新処理を示すフローチャートである。
以下の説明では、ランプのメーカーが保証するランプの寿命をＴｗａｒ、現在使用されているランプの使用時間をＴｃｕｒ、ランプが交換されたときにランプに対して補償されるべき時間を（Ｔｗａｒ−Ｔｃｕｒ）、交換された各ランプの補償時間の総和をＴｔｏｔ、ランプのメーカーが補償するランプの総数をＣＲＥＤＩＴｔｏｔ、ランプのメーカーが現時点で補償するランプの数をＣＲＥＤＩＴｃｕｒとして説明する。
最初に、ＣＲＥＤＩＴｔｏｔ、ＣＲＥＤＩＴｃｕｒ、Ｔｃｕｒ、Ｔｔｏｔが０とされ、ランプ保証時間としてＴｗａｒが設定される（ステップＳ２０１）。
【００２０】
ランプ交換されるまでの間、Ｔｃｕｒの更新（ステップＳ２０２）、および、ランプ交換が実施されたかの確認（ステップＳ２０３）は定期的に行われる。ユーザーの入力により、Ｉ／Ｆ本体操作盤２０２から制御部１０２にランプ交換が通知されると（ステップＳ２０３）、ＴｃｕｒがＴｗａｒより小さいかが確認される（ステップＳ２０４）。
ＴｃｕｒがＴｗａｒより小さな場合には、ＴｗａｒからＴｃｕｒを減じた値（Ｔｗａｒ−Ｔｃｕｒ）が記憶されているＴｔｏｔに加算されてあらたなＴｔｏｔとされる（ステップＳ２０５）。ランプ使用時間（Ｔｃｕｒ）がランプ保証時間（Ｔｗａｒ）以上の場合には、Ｔｔｏｔは更新されない。
次に、Ｔｃｕｒを０とする（ステップＳ２０６）。この後、（Ｔｔｏｔ／Ｔｗａｒ）がＣＲＥＤＩＴｔｏｔより大きいかが確認される（ステップＳ２０７）。（Ｔｔｏｔ／Ｔｗａｒ）がＣＲＥＤＩＴｔｏｔより大きな場合には、（Ｔｔｏｔ／Ｔｗａｒ）をＣＲＥＤＩＴｔｏｔとし、クレジット値（ＣＲＥＤＩＴｃｕｒ）に１を加算した（ステップＳ２０８）後にステップＳ２０２に戻り、上記の動作が繰り返される。
ステップＳ２０７において（Ｔｔｏｔ／Ｔｗａｒ）がＣＲＥＤＩＴｔｏｔより大きくないことが確認された場合には、ＣＲＥＤＩＴｔｏｔもＣＲＥＤＩＴｃｕｒも更新されずにステップＳ２０２に戻り、上記の動作が繰り返される。
【００２１】
第２の実施形態
図３は本発明の第２の実施形態で行われる処理を示すフローチャートである。本実施形態は第１の実施形態と同様に図１に示したシステムで行われるものであり、図３は制御部１０２が行うＴｔｏｔおよびＣＲＥＤＩＴｃｕｒの更新処理を示すフローチャートである。
最初に、ＣＲＥＤＩＴｃｕｒ、Ｔｃｕｒ、Ｔｔｏｔが０とされ、ランプ保証時間としてＴｗａｒが設定される（ステップＳ３０１）。
ランプ交換されるまでの間、Ｔｃｕｒの更新（ステップＳ３０２）、および、ランプ交換が実施されたかの確認（ステップＳ３０３）は定期的に行われる。ユーザーの入力により、Ｉ／Ｆ本体操作盤２０２から制御部１０２にランプ交換要求が通知されると（ステップＳ３０３）、ＴｃｕｒがＴｗａｒより小さいかが確認される（ステップＳ３０４）。
【００２２】
ＴｃｕｒがＴｗａｒより小さな場合には、Ｔｗａｒから使用時間Ｔｃｕｒを減じた値（Ｔｗａｒ−Ｔｃｕｒ）が記憶されているＴｔｏｔに加算されてあらたなＴｔｏｔとされる（ステップＳ３０５）。ＴｃｕｒがＴｗａｒ以上の場合には、Ｔｔｏｔは更新されない。
次に、Ｔｃｕｒを０とする（ステップＳ３０６）。この後、ＴｔｏｔがＴｗａｒ以上であるかが確認される（ステップＳ３０７）。ＴｔｏｔがＴｗａｒ以上である場合には、ＣＲＥＤＩＴｃｕｒに１が加算され（ステップＳ３０８）、ＴｔｏｔからＴｗａｒを減じた値（Ｔｔｏｔ−Ｔｗａｒ）をＴｔｏｔとし（ステップＳ３０９）、ステップＳ３０２に戻って上記の動作を繰り返す。
【００２３】
ステップＳ３０７において、ＴｔｏｔがＴｗａｒ以上でないことが確認された場合には、ＣＲＥＤＩＴｃｕｒ、および、Ｔｔｏｔのいずれも更新されずにステップＳ３０２に戻って上記の動作を繰り返す。
図４はユーザーがランプの提供を要求したときの、制御部１０２が行うＣＲＥＤＩＴｃｕｒの更新処理を示すフローチャートである。図４に示すＣＲＥＤＩＴｃｕｒの更新処理は、図２または図３に示したＣＲＥＤＩＴｃｕｒ、Ｔｔｏｔの更新処理と独立に行われるもので、図２または図３に示したＣＲＥＤＩＴｃｕｒ、Ｔｔｏｔの更新処理が行われてなく、ユーザーがクレジット値を超えない範囲の本数でランプの提供をサービスセンター３００に要求したときに行われる。以下では、ユーザーが要求したランプの本数をＲＥＱ＿ＣＮＴとしてＣＲＥＤＩＴｃｕｒの更新処理動作について説明する。
【００２４】
ユーザーが、Ｉ／Ｆ本体操作盤２０２にランプの提供を要求する旨をＲＥＱ＿ＣＮＴとともに入力すると、プロジェクター１００の制御部１０２は、ＣＲＥＤＩＴｃｕｒが正数値かを確認する（ステップＳ４０１）。
ステップＳ４０１において、ＣＲＥＤＩＴｃｕｒが正数値でないことが確認された場合にはユーザー要求は却下され、ＣＲＥＤＩＴｃｕｒの更新処理は終了する。ステップＳ４０１において、クレジット値が正数値であることが確認された場合には、ＣＲＥＤＩＴｃｕｒがＲＥＱ＿ＣＮＴ以上であるかを確認する（ステップＳ４０２）。ＣＲＥＤＩＴｃｕｒがＲＥＱ＿ＣＮＴ以上である場合には、ＣＲＥＤＩＴｃｕｒからＲＥＱ＿ＣＮＴを減じた値をあらたなＣＲＥＤＩＴｃｕｒとして更新保存し（ステップＳ４０３）、サービスセンター３００に提供を求めるランプの本数としてＲＥＱ＿ＣＮＴを通知する（ステップＳ４０４）。ステップＳ４０２において、ＣＲＥＤＩＴｃｕｒがＲＥＱ＿ＣＮＴ以上でないことが確認された場合にはユーザー要求は却下され、ＣＲＥＤＩＴｃｕｒの更新処理は終了する。
【００２５】
第３の実施形態
図２および図３に示したフローチャートでは、ランプのメーカーが定めたランプの寿命Ｔｗａｒを用いている。ランプの寿命の定義は、ランプのメーカーにより異なるが、その多くは、ランプの光出力が初期値の所定の割合、例えば、キセノンランプの場合には５０％以下に低下した時点、もしくは、フラツキ（ｐ−ｐ）が所定の割合、例えば、キセノンランプの場合には１．０％を超えた時点を寿命としている。
上述した各実施形態では、交換されるランプの使用時間に応じて補償するランプの本数が更新されるが、ランプの交換はユーザーの判断により行われ、交換されるランプが上記の定義のいずれかを満たすものであるかは確認されていない。このため、交換する必要のないランプが交換されても、Ｔｃｕｒはランプの寿命までの時間として扱われ、これに基づいてランプのメーカーが補償するランプの数が決定されてしまう。
【００２６】
本実施形態は、上記のような、交換する必要のないランプの交換についてはＴｔｏｔ、ＣＲＥＤＩＴｔｏｔ、ＣＲＥＤＩＴｃｕｒの更新を行わない。
図５は本実施形態のシステム構成を示すブロック図である。本システムは、図１に示したシステムのうち、プロジェクター１００に点灯状態検出部１０７を設けたもので、この他の構成は図１に示したシステムと同じである。
点灯状態検出部１０７は、光源１０１を構成するランプの点灯状態を検出するもので、ランプが、ランプのメーカーが定めた寿命、上記の例では、ランプの光出力が初期値の所定の割合以下となった時点、もしくは、ランプの光出力のフラツキ（ｐ−ｐ）が所定の割合を超えた時点で、現在使用されているランプが寿命となった旨を示す通知を制御部１０２に出力する。該通知を受け付けた制御部１０２は、記憶部１０６にランプ失灯エラーを記録し、ステータス表示画面１０３にはランプ失灯エラーが発生したこと、および、ランプの交換をユーザーに促す画面を表示させる。
【００２７】
図６は、本実施形態において制御部１０２が行うＴｔｏｔおよびＣＲＥＤＩＴｃｕｒの更新処理を示すフローチャートである。
最初に、ＣＲＥＤＩＴｔｏｔ、ＣＲＥＤＩＴｃｕｒ、Ｔｃｕｒ、Ｔｔｏｔが０とされ、ランプ保証時間としてＴｗａｒが設定される（ステップＳ５０１）。
ランプ交換されるまでの間、Ｔｃｕｒの更新（ステップＳ５０２）、および、ランプ交換が実施されたかの確認（ステップＳ５０３）は定期的に行われる。ユーザーの入力により、Ｉ／Ｆ本体操作盤２０２から制御部１０２にランプ交換が通知されると（ステップＳ５０３）、記録部１０６の記録内容を参照し、ランプ交換前にランプ失灯エラーが発生しているかを確認する（ステップＳ５０４）。
【００２８】
ステップＳ５０４において、ランプ交換前にランプ失灯エラーが発生していることが確認された場合には、ＴｃｕｒがＴｗａｒより小さいかが確認される（ステップＳ５０５）。
ＴｃｕｒがＴｗａｒより小さな場合には、ＴｗａｒからＴｃｕｒを減じた値（Ｔｗａｒ−Ｔｃｕｒ）が記憶されているＴｔｏｔに加算されてあらたなＴｔｏｔとされる（ステップＳ５０６）。
ステップＳ５０４において、ランプ交換前にランプ失灯エラーが発生していることが確認されなかった場合、ステップＳ５０５においてＴｃｕｒがランプ保証時間Ｔｗａｒ以下でないことが確認されなかった場合、および、ステップＳ５０６の後には、Ｔｃｕｒを０とする（ステップＳ５０７）。この後、記録部１０６の記録内容を参照し、ランプ交換前にランプ失灯エラーが発生しているかを再度確認する（ステップＳ５０８）。
【００２９】
ステップＳ５０８において、ランプ交換前にランプ失灯エラーが発生していることが確認されなかった場合には、ステップＳ５０２に戻って上記の動作を繰り返す。ステップＳ５０８において、ランプ交換前にランプ失灯エラーが発生していることが確認された場合には、（Ｔｔｏｔ／Ｔｗａｒ）がＣＲＥＤＩＴｔｏｔより大きいかが確認される（ステップＳ５０９）。（Ｔｔｏｔ／Ｔｗａｒ）がＣＲＥＤＩＴｔｏｔより大きな場合には、（Ｔｔｏｔ／Ｔｗａｒ）をＣＲＥＤＩＴｔｏｔとし、クレジット値（ＣＲＥＤＩＴｃｕｒ）に１を加算した（ステップＳ２０８）後にステップＳ２０２に戻り、上記の動作が繰り返される。
ステップＳ５０９において（Ｔｔｏｔ／Ｔｗａｒ）がＣＲＥＤＩＴｔｏｔより大きくないことが確認された場合には、ＣＲＥＤＩＴｔｏｔもＣＲＥＤＩＴｃｕｒも更新されずにステップＳ２０２に戻り、上記の動作が繰り返される。
【００３０】
第４の実施形態
図７は本発明の第４の実施形態で行われる処理を示すフローチャートである。本実施形態は第３の実施形態と同様に図５に示したシステムで行われるものであり、図７は制御部１０２が行うＴｔｏｔおよびＣＲＥＤＩＴｃｕｒの更新処理を示すフローチャートである。
最初に、ＣＲＥＤＩＴｃｕｒ、Ｔｃｕｒ、Ｔｔｏｔが０とされ、ランプ保証時間としてＴｗａｒが設定される（ステップＳ６０１）。
ランプ交換されるまでの間、Ｔｃｕｒの更新（ステップＳ６０２）、および、ランプ交換が実施されたかの確認（ステップＳ６０３）は定期的に行われる。ユーザーの入力により、Ｉ／Ｆ本体操作盤２０２から制御部１０２にランプ交換要求が通知されると（ステップＳ６０３）、記録部１０６の記録内容を参照し、ランプ交換前にランプ失灯エラーが発生しているかを確認する（ステップＳ６０４）。
【００３１】
ステップＳ６０４において、ランプ交換前にランプ失灯エラーが発生していることが確認された場合には、ＴｃｕｒがＴｗａｒより小さいかが確認される（ステップＳ６０５）。
ＴｃｕｒがＴｗａｒより小さな場合には、Ｔｗａｒから使用時間Ｔｃｕｒを減じた値（Ｔｗａｒ−Ｔｃｕｒ）が記憶されているＴｔｏｔに加算されてあらたなＴｔｏｔとされる（ステップＳ６０６）。ＴｃｕｒがＴｗａｒ以上の場合には、Ｔｔｏｔは更新されない。
ステップＳ６０４において、ランプ交換前にランプ失灯エラーが発生していることが確認されなかった場合、ステップＳ６０５においてＴｃｕｒがランプ保証時間Ｔｗａｒ以下でないことが確認されなかった場合、および、ステップＳ６０６の後には、Ｔｃｕｒを０とする（ステップＳ６０７）。この後、記録部１０６の記録内容を参照し、ランプ交換前にランプ失灯エラーが発生しているかを再度確認する（ステップＳ６０８）。
【００３２】
ステップＳ６０８において、ランプ交換前にランプ失灯エラーが発生していることが確認されなかった場合には、ステップＳ６０２に戻って上記の動作を繰り返す。ステップＳ６０８において、ランプ交換前にランプ失灯エラーが発生していることが確認された場合には、ＴｔｏｔがＴｗａｒ以上であるかが確認される（ステップＳ６０９）。ＴｔｏｔがＴｗａｒ以上である場合には、ＣＲＥＤＩＴｃｕｒに１が加算され（ステップＳ６１０）、ＴｔｏｔからＴｗａｒを減じた値（Ｔｔｏｔ−Ｔｗａｒ）をＴｔｏｔとし（ステップＳ６１１）、ステップＳ６０２に戻って上記の動作を繰り返す。
ステップＳ６０９において、ＴｔｏｔがＴｗａｒ以上でないことが確認された場合には、ＣＲＥＤＩＴｃｕｒ、および、Ｔｔｏｔのいずれも更新されずにステップＳ６０２に戻って上記の動作を繰り返す。
【００３３】
上記のように構成される第３の実施形態および第４の実施形態においては、制御部１０２にランプ交換が通知されると、制御部１０２はランプ交換の前にランプ失灯エラーが記憶部１０６に記録されているかを確認する。ランプ失灯エラーが記録部１０６に記録されている場合には、このランプ交換はランプの寿命や故障によるものと判断し、Ｔｔｏｔ、ＣＲＥＤＩＴｔｏｔ、ＣＲＥＤＩＴｃｕｒを更新する。ランプ失灯エラーが記録部１０６に記録されていない場合には、このランプ交換は寿命によるものではなく、不適切なものであると判断し、Ｔｔｏｔ、ＣＲＥＤＩＴｔｏｔ、ＣＲＥＤＩＴｃｕｒを更新しない。メーカーは適切な本数のランプを補償することができる。
なお、上記の各実施形態においてはプロジェクター１００の制御部１０１が制御を行うものとして説明したが、プロジェクター１００の制御部１０１の代わりに、外部装置２００の制御装置２０３が制御部１０２を介して同様の制御を行うこととしてもよく、本発明にはこのような形態も含まれる。
【符号の説明】
【００３４】
１００    プロジェクター
１０１    光源
１０２    制御部
１０３    ステータス表示用画面
１０４    投写部
１０５    タイマー
１０６    記憶部
１０７    点灯状態検出部
２００    外部装置
２０１    記憶装置
２０２    Ｉ／Ｆ本体操作盤
２０３    制御部
３００    サービスセンター
【図１】
2018154756.tif 000003
【図２】
2018154756.tif 000004
【図３】
2018154756.tif 000005
【図４】
2018154756.tif 000006
【図５】
2018154756.tif 000007
【図６】
2018154756.tif 000008
【図７】
2018154756.tif 000009
【国際調査報告】
2018154756.tif 000010
2018154756.tif 000011